(57)【要約】【課題】正確に効率よく実験用小動物の筋力を測定することができる小動物握力測定装置を提供する。【解決手段】テーブルなどに設置される基台１２と、基台１２に固定された張力計１４と、張力計１４の先端に取り付けられ実験用の小動物が掴まるための保持部材１６を有する。保持部材１６は、張力計１４に連結される連結部材１８と、連結部材１８に所定角度で固定された枠部２０と、枠部２０の内側に張られて設けられ一方向に長いグリップバー２２を備える。グリップバー２２は、複数本が互いに平行に設けられ、断面形状が多角形であり、実験用の小動物が握りやすい形状である。【選択図】図２
0003185173.tif 000002
【実用新案登録請求の範囲】
【請求項１】
テーブルなどに設置される基台と、前記基台に固定された張力計と、前記張力計の先端に取り付けられ実験用の小動物が掴まるための保持部材が設けられ、前記保持部材は、前記張力計に連結される連結部材と、前記連結部材に所定角度で固定された枠部と、前記枠部の内側に張られて設けられ一方向に長いグリップバーが設けられ、前記グリップバーは、長手方向に交差する断面形状が、実験用の小動物が握りやすい引っ掛かりのある形状に形成されていることを特徴とする小動物握力測定装置。
【請求項２】
前記グリップバーは、複数本が互いに平行に設けられ、前記グリップバーの断面形状は、多角形である請求項１記載の小動物握力測定装置。
【請求項３】
前記グリップバーの断面形状は、略正六角形である請求項２記載の小動物握力測定装置。
【考案の詳細な説明】
【技術分野】
【０００１】
この考案は、実験用の小動物の筋力を測定するための小動物握力測定装置に関する。
【背景技術】
【０００２】
筋力が低下することを特徴とする疾患（例えば、筋ジストロフィーや多発性筋炎等）の研究のために、実験用の小動物を利用した実験が行われている。実験用の小動物の病態を客観的に評価することは、これらの疾患の病態メカニズムを解明したり、治療方法や治療薬を開発したりする際に重要である。
【０００３】
従来は、病態メカニズムを解明し、またはこれらの疾患の治療方法や治療薬を開発する際に、病態変化を確認する手段として、主として解剖学的・病理学的な手段が採用されている。このような従来の手法を採用する場合、病態変化の評価のためには、多数の疾患モデル小動物を用意して、経時的に解剖学的・病理学的な組織切片等を作製して、評価を行ってきた。しかしながら、疾患モデル小動物として確立されているとしても、個体ごとにそれぞれの病態は異なっており、その病態変化を正確に調べることは非常に難しいことであった。また、遺伝子治療等の経時的な変化を伴う病態の解析が困難であった。
【０００４】
これに対して簡単に病理変化を調べる方法として、実験用小動物の筋力を測定する装置が開発されてきた。例えば、小動物が掴まるグリッド状の網状構造物やワイヤーバーが設けられ、このグリッド状の網状構造物やワイヤーバーに、張力計が接続されている。この装置の使用方法は、小動物の身体を、実験を行う作業者が保定し、前肢または後肢を装置のグリッド状の網状構造物等に掴まらせたのち、またはワイヤーバーに掴まされたのち、小動物の尾を引っ張ることで前肢または四肢が網状構造物から離れる。この離れる際の最大張力を測定し、これを筋力として評価するものである。しかしこの装置では、小動物を網状構造物またはワイヤーバーに掴まらせることが必要であり、掴まらせるためには小動物を訓練することが必要である。また、測定時に保定に伴うストレスが小動物に対してかかり、小動物が興奮すると掴まる力が強くなるなど、測定の客観性に欠けるという問題が存在する。また、作業者の経験に依存するため熟練を必要とするなどの問題もある。
【０００５】
そこで、小動物に与えるストレスを軽減しつつ、筋力を客観的に測定することができる方法が考えられている。例えば、特許文献１に開示されている実験動物の筋力測定装置は、動物の多くは、暗いところを好むという習性を利用したものである。この実験動物の筋力測定装置は、小動物を収容する箱の壁面に開口して取り付けられ動物が侵入する筒状部材と、前記筒状部材に侵入する動物の尾に取り付ける筋力測定部材が設けられている。筋力測定部材は、連結部材を介して実験用小動物の尾に取り付けられ、前記連結部材は金属製のワイヤを使用し、その一端をマウスの尾に、他端を筋力測定部材に接続する。金属製のワイヤをマウスの尾に接続する際は、マウスにストレスを与えないように、尾にシリコンチューブを嵌めこみ、尾とシリコンチューブとの間に金属製のワイヤを通して係合する。
【先行技術文献】
【特許文献】
【０００６】
【特許文献１】特開２０１３−２２３８０号公報
【考案の概要】
【考案が解決しようとする課題】
【０００７】
上記背景技術の場合、小動物が筒状部材に入らずに測定できないことがあり、正確に筋力を測定することができない場合がある。また小動物が入るまでに時間がかかって作業効率が良くない場合もある。また、前肢と四肢の筋力を個別に測定することができず、前肢と四肢の筋力を比較することができないものである。
【０００８】
この考案は、上記背景技術の問題点に鑑みてなされたものであり、正確に効率よく実験用小動物の筋力を測定することができる小動物握力測定装置を提供することを目的とする。
【課題を解決するための手段】
【０００９】
本考案は、テーブルなどに設置される基台と、前記基台に固定された張力計と、前記張力計の先端に取り付けられ実験用の小動物が掴まるための保持部材が設けられ、前記保持部材は、前記張力計に連結される連結部材と、前記連結部材に所定角度で固定された枠部と、前記枠部の内側に張られて設けられ一方向に長いグリップバーが設けられている。前記グリップバーは、長手方向に交差する断面形状が、実験用の小動物が握りやすい形状に形成されている。
【００１０】
前記グリップバーは、複数本が互いに平行に設けられている。前記グリップバーの断面形状は、例えば六角形、五角形、四角形等の多角形や、楕円や長円、Ｌ字形等、小動物が握りやすい形状であればよい。
【考案の効果】
【００１１】
本考案の小動物握力測定装置は、小動物が握りやすいグリップバーを設けているため、確実に正確な握力を測定することができる。小動物の前肢または後肢がグリップバーから滑ることによる低い値が出ることがなく、確実に筋力を測定することができる。
【図面の簡単な説明】
【００１２】
【図１】この考案の一実施形態の小動物握力測定装置の斜視図である。
【図２】この実施形態の小動物握力測定装置の斜視図である。
【図３】この実施形態の小動物握力測定装置のグリップバーの正面図である。
【図４】図３のＡ―Ａ線縦断面図である。
【考案を実施するための形態】
【００１３】
以下、この考案の実施形態について図面に基づいて説明する。図１、図２はこの考案の一実施形態を示すもので、この実施形態の小動物握力測定装置１０は、テーブル等に設置される基台１２が設けられている。基台１２は、テーブル等の上面にほぼ水平に置く板状の台板部１２ａと、台板部１２ａからほぼ直角に上方に延出する支持部１２ｂと、支持部１２ｂの上端部に連結され台板部１２ａに対してほぼ平行な板状の取付部１２ｃが設けられている。
【００１４】
基台１２の取付部１２ｃには、張力計１４が固定されている。張力計１４の先端には、実験用の小動物が掴まるための保持部材１６が設けられている。保持部材１６は、張力計１４に連結される連結部材１８が設けられ、連結部材１８には枠部２０が設けられている。枠部２０は、コの字形に形成され、中央の長い中央直線部２０ａの中心が連結部材１８に保持され、両端の短い一対の端縁直線部２０ｂは連結部材１８と反対側に突出している。
【００１５】
枠部２０の、一対の端縁直線部２０ｂの間には、３本のグリップバー２２が取り付けられている。グリップバー２２は、実験用の小動物が握るためのものであり、枠部２０の中央直線部２０ａに対して平行で、互いに平行に端縁直線部２０ｂの長手方向に並んで等間隔に取り付けられている。グリップバー２２は図３、図４に示すように、断面形状がほぼ正六角形である。
【００１６】
なお張力計１４の一例について説明する。最大計測は２．０００ｋｇｆ、分解能０．００１ｋｇｆ、測定方式はピーク測定、電源はＡＣ１００Ｖ、５０／６０Ｈｚ、充電式である。
【００１７】
次に、この実施形態の小動物握力測定装置１０の使用方法について説明する。実験用の小動物の身体を作業者が保定し、前肢で小動物握力測定装置１０のグリップバー２２を握らせて、掴まらせる。そして、小動物の尾又は体を引っ張り、小動物の前肢が引っ張り力に負けてグリップバー２２から離れ、離れた時の最大張力を張力計１４で測定し、これを筋力として評価する。なお、実験用の小動物は、ラットやマウス等である。
【００１８】
この実施形態の小動物握力測定装置１０によれば、グリップバー２２の長手方向に交差する形状がほぼ正六角形であるため、実験用の小動物が確実に掴まることができ、正確に筋力を測定することができる。ラットやマウスなどの実験用の小動物は、前肢の手の平が凹凸で形成されているため、例えば丸い棒では掴まりにくく滑りやすいものであったが、正六角形では、角部分が引っ掛かりとなり確実に掴まることができる。前肢がグリップバーから滑ることによる低い値が出ることがなく、確実に筋力を測定することができる。
【００１９】
なお、この実施形態の小動物握力測定装置１０のグリップバー２２は、断面形状が正六角形以外の多角形や、断面の長軸方向側面が引っ掛かりとなる楕円や長円、角部が引っ掛かりとなるＬ字形、側面に沿って引っ掛かりとなる突条のあるもの等、真円よりも小動物が握りやすい形状で引っ掛かりとなる箇所があればよい。グリップバー２２の数は、３本以外でもよい。枠部２０の形状は自由に変更可能であり、Ｔ字形に形成して、枠部２０の断面形状を小動物が握りやすい形状にし、枠部２０に直接小動物を掴まらせるものでもよい。また、枠部２０を環状の矩形とし、環状の内側にグリップバー２２を網状に張ったものでもよい。環状の矩形の枠部２０を、張力計１４の取付方向に対して縦に長くすることで四肢用となる。四肢用の場合、身体が網状のグリップバー２２に乗り、四肢で握ることができ、四肢の握力を測定することができる。網状に張ったグリップバーの間隔は、例えば、１３ｍｍピッチや１０ｍｍピッチ等が適している。１個の張力計１４に、いろいろな形状の保持部材１６を着脱可能にしてもよい。
【００２０】
なお、この考案の小動物握力測定装置は、上記実施の形態に限定されるものではなく、各部材の形状や大きさ等、適宜変更可能である。張力計の性能は変更可能であり、基台の形状も、測定の際に倒れることなくしっかりと立つものであればよい。
【符号の説明】
【００２１】
１０  小動物握力測定装置
１２  基台
１４  張力計
１６  保持部材
１８  連結部材
２０  枠部
２０ａ  中央直線部
２０ｂ  端縁直線部
２２  グリップバー
【図１】
0003185173.tif 000003
【図２】
0003185173.tif 000004
【図３】
0003185173.tif 000005
【図４】
0003185173.tif 000006